(57)【要約】【課題】折板屋根３を成す折板３１が劣化していても、断熱材５を安定して敷設し得るようにする。【解決手段】屋根梁１にその長さ方向にタイトフレーム２を波状に固定し、そのタイトフレーム２を介して屋根梁１に折板屋根３を固定した折板屋根構造である。その折板屋根３の山部３ａを跨ぐように板片状補強フレーム４０を設けてその補強フレーム４０を屋根梁１に固定し、さらに、その補強フレーム４０に折板屋根３の山部３ａ長さ方向全長に亘る桟フレーム５０を固定する。その桟フレーム５０及び補強フレーム４０を介して折板屋根３上面に断熱材５をビス止め６により敷設する。このとき、補強フレーム４０に断熱材５等の負荷を十分に担う強度を有するものを使用して、折板３１の劣化に関係なく、断熱材５を折板屋根３上に安定的に敷設する。【選択図】図１
2006037622.tif 000002
【特許請求の範囲】
【請求項１】
屋根梁１に折板３１を固定して折板屋根３を形成した折板屋根構造において、
上記折板屋根３の山部３ａを跨ぐように板片状補強フレーム４０を設けてその補強フレーム４０を上記屋根梁１に固定し、前記補強フレーム４０を介して折板屋根３上面に断熱材などの板状体５を敷設した折板屋根構造。
【請求項２】
上記補強フレーム４０に前記折板屋根３の山部３ａ長さ方向全長に亘る桟フレーム５０を固定し、その桟フレーム５０を介して上記板状体５を敷設したことを特徴とする請求項１に記載の折板屋根構造。
【発明の詳細な説明】
【技術分野】
【０００１】
この発明は、折板を連結した折板屋根上に断熱材などの板状体を敷設した折板屋根構造に関するものである
【背景技術】
【０００２】
折板屋根は、その施工のし易さから、工場などの多くの建造物に採用されている。その折板屋根を補修する場合、通常、保温性、美観性などから、断熱材（板）、コンクリートパネル（コンパネ）などの板状体がその上面に敷設される。
【０００３】
その折板屋根構造は、例えば、図３に示すように、屋根梁１にその長さ方向にタイトフレーム２を波状に固定し（図１参照）、そのタイトフレーム２を介して前記屋根梁１に折板屋根３を固定し、その折板屋根３の上に固定具４を介して断熱材（板状体）５を敷設したものである。その折板屋根３は、折板３１をハゼ締め（ハゼ）３２により連結したものであり、連結させる折板３１及びタイトフレーム２を吊子３３を介在して突合せ、その突合せ部をボルト・ナット３４により締結している。
【０００４】
また、断熱材５は、固定具４をハゼ３２に嵌めて折板屋根３の山部３ａに設け、その固定具４の上にビス（セルフドリルアンカー）６止めしている。
さらに、断熱材５の上面には防水シート７が敷設され、この防水シート７は上記ビス６により固定のディスク８に電磁誘導加熱等による熱融着により固着して断熱材５に固定している（特許文献１参照）。
【特許文献１】特開２００１−２７１４５６号公報
【発明の開示】
【発明が解決しようとする課題】
【０００５】
上記従来技術は、それなりに有効ではあるが、折板屋根３に断熱材５等の付設部材の全ての負荷を担わせているため、折板屋根３の劣化が進行している場合、補修材として断熱材５等を設けると、折板３１（折板屋根３）が長期に亘ってその負荷に耐え得ない恐れがある。
【０００６】
この発明は、折板屋根３に負荷を極力かけることなく、断熱材などの板状体を敷設し得るようにすることを課題とする。
【課題を解決するための手段】
【０００７】
上記課題を達成するために、この発明は、折板屋根の山部を跨ぐように補強フレームを屋根梁に固定し、その補強フレームを介して板状体を敷設するようにしたのである。
この構成であれば、補強フレームに板状体などの負荷を十分に担う強度を有するものを使用すれば、折板の劣化に左右されずに、断熱材等の板状体を折板屋根に敷設することができる。
【発明の効果】
【０００８】
この発明は、以上のように、折板屋根に負荷をかけることなく、断熱材等の板状体を敷設するようにしたので、折板屋根の寿命を延ばすことができ、劣化した折板屋根の補修においても、その屋根の耐用年数を延ばすことができるとともに、断熱性等を向上でき、今日、叫ばれている省エネルギー化を図ることができる。
【発明を実施するための最良の形態】
【０００９】
この発明の実施形態としては、屋根梁に折板を固定して折板屋根を形成した折板屋根構造において、前記折板屋根の山部を跨ぐように補強フレームを設けてその補強フレームを前記屋根梁に固定し、前記補強フレームを介して折板屋根上面に断熱材などの板状体を敷設した構成を採用できる。
【００１０】
この構成において、上記補強フレームに前記折板屋根の山部長さ方向全長に亘る桟フレームを固定し、その桟フレームを介して上記板状体を敷設したものとすることができる。
このようにすれば、板状体の支持面積が増加し、その支持が安定する。
【実施例】
【００１１】
この発明の一実施例を図１、図２に示し、この実施例は、従来と同様に、屋根梁１にその長さ方向にタイトフレーム２を波状に固定し、そのタイトフレーム２を介して前記屋根梁１に折板屋根３を固定している。折板屋根３は、断面逆台形枠状の両端を横方向に伸ばした形状の折板３１を、その両端片３１ａをハゼ締め（ハゼ）３２により連結した波板状を呈したものである。
【００１２】
その折板屋根３の屋根梁１に対応する箇所には、その屋根梁１に沿ってタイトフレーム２が波状に設けられている。そのタイトフレーム２は、一方の折板３１の下面に沿って折板屋根３の山部３ａに至った後、垂直に降りて屋根梁１に至り、さらに折板屋根３の谷部３ｂの中程に至ってその端で屋根梁１にビス９止めされている部材２１と、他方の折板３１の山部下面に沿った後下方に伸びた断面Ｌ字状部材２２とからなる。その両部材２１、２２の垂直片の間に吊子３３を介在してボルト・ナット３４止めして、タイトフレーム２により、折板屋根３（折板３１）を屋根梁１に固定している。これまでの構成は、従来と同様であり、他の従来の種々の構成を採用しうる。
【００１３】
この実施例は、この折板屋根３を補修したものであり、その折板屋根３の山部３ａを跨ぐように板片状補強フレーム４０を設けて、この補強フレーム４０を介して折板屋根３上面に断熱材５を敷設している。補強フレーム４０は、鋼板製であって、断面等脚台形枠状でその両端を横方向に延ばしたものであり、その端の片を屋根梁１にビス９により固定したものである。そのビス９にはシーリングワッシャー９ａを介在する。補強フレーム４０は、屋根梁１と同一金属が好ましいが、電蝕等の支障がない限りにおいて異種金属でもよい。
【００１４】
補強フレーム４０の山部には、断面下向きコ字状の桟フレーム５０がその両端の片５１を被せることにより不動に嵌められており、この桟フレーム５０は折板屋根３の山部３ａの長さ方向全長に亘っている。このため、桟フレーム５０は、その長さ方向における各屋根梁１に固定の補強フレーム４０に嵌められて、少なくとも２点で支持されている。
【００１５】
この桟フレーム５０の上に断熱材５が載置され、適宜箇所において、鉄製ディスク８を介したビス６がその断熱材５を貫通して桟フレーム５０にねじ込まれており、このねじ込みにより、断熱材５が桟フレーム５０に固定されて、折板屋根３全域が断熱材５で覆われている。
その断熱材５の上面全域には防水シート７が敷設され、この防水シート７は、適宜箇所において、ディスク板８を介して電磁誘導加熱により断熱材５に固定されている。
【００１６】
防水シート７（断熱材５）上には、架台６１を介して太陽電池ユニット６０等を適宜に設置する。その架台６１の固定には、ディスク板８固定用のビス６が防水シート７を突出するものとして、その突出ボルト６ａにナット止めするなどの手段を採用する。ビス６の突出部分は防水処理７０を行う。
【００１７】
この実施例では、屋根梁１にＩ型鋼が使用されているため、穴を開けてもその穴開け時の切粉が下に落ちにくく、屋内の設置物などに対する切粉による影響は極力少ない。さらに、折板３１だけの部分には穴を開ける必要がないため、改修した防水層に不具合が発生した場合でも、既存防水層である折半屋根は一定の防水機能を保持しているため、漏水に直ぐつながる恐れはなく、二重防水機能を発揮することができる。
【００１８】
なお、断熱材５に変えて、コンパネ等の各種の板状体を採用することもできる。また、折板屋根３の補修にかぎらず、新たに折板屋根３を作る場合にも、この発明を採用できることは勿論である。さらに、折板３１の連結はハゼ締めに限らず、他の種々の手段を採用できる。
【図面の簡単な説明】
【００１９】
【図１】一実施例の一部切断斜視図
【図２】同実施例の要部切断正面図
【図３】従来例の要部切断正面図
【符号の説明】
【００２０】
１  屋根梁
２  タイトフレーム
２１、２２  タイトフレーム部材
３  折板屋根
３ａ  折板屋根山部
３ｂ  折板屋根谷部
３１  折板屋根用折板
３２  ハゼ（ハゼ締め）
５  断熱材（板状体）
６  ビス（セルフドリルアンカー）
７  防水シート
８  防水シート固定用ディスク
９  ビス
４０  補強フレーム
５０  桟フレーム
６０  太陽電池ユニット
【図１】
2006037622.tif 000003
【図２】
2006037622.tif 000004
【図３】
2006037622.tif 000005